(57)【要約】【課題】メディアに格納されたコンテンツについて、一方の再生装置で途中まで再生し、そのメディアを他方の再生装置に移し、残りの部分の再生を他方の再生装置で再開できるようにすること。【解決手段】何れかのメディア内の何れかのコンテンツにつき再生が中断されると、第１のビデオ装置１０が、ネットワークＮ１を介して接続されている第２のビデオ装置２０に中断情報を送信し、第２のビデオ装置２０が他機中断情報管理テーブル５１にこれを登録する。また、同じメディア内の同じコンテンツにつき再生が指示されると、第２のビデオ装置２０が、そのコンテンツの中断情報を他機中断情報管理テーブル５１から検出し、その中断情報の位置情報にて特定される中断位置から当該コンテンツの再生を開始する。【選択図】図１
2009278180.tif 000002
【特許請求の範囲】
【請求項１】
メディア内のコンテンツを再生する再生部、
操作者からの指示を受けて前記再生部がコンテンツの再生を中断すると、その中断位置を特定する位置情報とそのコンテンツを特定するコンテンツ情報とそのコンテンツが格納されたメディアを特定するメディア情報とを含む中断情報を、生成する生成部、
前記生成部が生成した中断情報をネットワークを介して他の再生装置に送信する送信部、
他の再生装置から前記ネットワークを介して中断情報を受信すると、記憶装置に記録する記録部、
何れかのメディア内の何れかのコンテンツの再生が操作者から指示されると、そのコンテンツに係るコンテンツ情報とメディア情報とを検索条件として、前記記憶装置を検索する検索部、及び、
前記検索部が前記記憶装置から中断情報を検出した場合に、前記再生部に対し、その検出した中断情報に含まれる位置情報にて特定される中断位置から、コンテンツの再生を開始させる制御部
を備えることを特徴とする再生装置。
【請求項２】
再生が中断されたコンテンツが格納されているメディアが、データの書き込みを許容しているメディアである場合に、前記生成部が生成した中断情報をそのメディアに書き込む書込部
を更に備え、
前記制御部は、
前記検索部が前記記憶装置から中断情報を検出できなかった場合において、再生が指示されたコンテンツが格納されているメディアに中断情報が書き込まれているときには、そのメディアから中断情報を読み出し、前記再生部に対し、その読み出した中断情報に含まれる位置情報にて特定される中断位置から、コンテンツの再生を開始させる
ことを特徴とする請求項１記載の再生装置。
【請求項３】
前記制御部は、
前記検索部が前記記憶装置から中断情報を検出した場合に、中断位置からの再生を行うか否かを操作者に照会し、中断位置からの再生が操作者から指示されたときに、前記再生部に対し、その検出された中断情報に含まれる位置情報にて特定される中断位置から、コンテンツの再生を開始させる
ことを特徴とする請求項１又は２記載の再生装置。
【請求項４】
前記記録部が前記記憶装置に中断情報を記録してから所定時間が経過すると、その中断情報を前記記憶装置から削除する削除部
を更に備えることを特徴とする請求項１、２又は３記載の再生装置。
【請求項５】
前記記録部が前記記憶装置に中断情報を記録すると、その中断情報の送信元に受領を通知する通知部、及び、
前記送信部が中断情報を他の再生装置に送信した後、他の再生装置から受領が通知されると、その受領を通知してきた他の再生装置に係る情報を操作者に提示する提示部
を更に備えることを特徴とする請求項１乃至４の何れか１つに記載の再生装置。
【請求項６】
メディア内のコンテンツを再生する再生手段を有するコンピュータを、
操作者からの指示を受けて前記再生手段がコンテンツの再生を中断すると、その中断位置を特定する位置情報とそのコンテンツを特定するコンテンツ情報とそのコンテンツが格納されたメディアを特定するメディア情報とを含む中断情報を、生成する生成手段、
前記生成手段が生成した中断情報をネットワークを介して他のコンピュータに送信する送信手段、
他のコンピュータから前記ネットワークを介して中断情報を受信すると、記憶装置に記録する記録手段、
何れかのメディア内の何れかのコンテンツの再生が操作者から指示されると、そのコンテンツに係るコンテンツ情報とメディア情報とを検索条件として、前記記憶装置を検索する検索手段、及び、
前記検索手段が前記記憶装置から中断情報を検出した場合に、前記再生手段に対し、その検出した中断情報に含まれる位置情報にて特定される中断位置から、コンテンツの再生を開始させる制御手段
として機能させる
ことを特徴とする再生制御プログラム。
【請求項７】
メディア内のコンテンツを再生する再生手段を有するビデオ装置が、
操作者からの指示を受けて前記再生手段がコンテンツの再生を中断すると、その中断位置を特定する位置情報とそのコンテンツを特定するコンテンツ情報とそのコンテンツが格納されたメディアを特定するメディア情報とを含む中断情報を、生成する生成手順、
前記生成手順で生成した中断情報をネットワークを介して他のビデオ装置に送信する送信手順、
他のビデオ装置から前記ネットワークを介して中断情報を受信すると、記憶装置に記録する記録手順、
何れかのメディア内の何れかのコンテンツの再生が操作者から指示されると、そのコンテンツに係るコンテンツ情報とメディア情報とを検索条件として、前記記憶装置を検索する検索手順、及び、
前記記憶装置から中断情報を検出した場合に、前記再生手段に対し、その検出した中断情報に含まれる位置情報にて特定される中断位置から、コンテンツの再生を開始させる制御手順
を実行する
ことを特徴とする再生制御方法。
【発明の詳細な説明】
【技術分野】
【０００１】
本発明は、メディア内のコンテンツを再生するための再生装置、並びに、メディア内のコンテンツの再生を制御するためのプログラム及び方法に、関する。
【背景技術】
【０００２】
周知のように、映画やミュージッククリップやテレビドラマやテレビアニメなどのコンテンツは、ＤＶＤ［Digital Versatile Disk］］やメモリーカードやｉＶＤＲ［Information Versatile Disk for Removable usage］カセットや外付けＨＤＤ［Hard Disk Drive］装置などのメディアに格納されて頒布されている。メディアに格納されたコンテンツは、そのメディアが挿抜自在に装着できる再生装置によって、再生される。
【０００３】
従来の再生装置は、コンテンツの再生が一旦中断され、その後に同じコンテンツの再生が指示されたときに、コンテンツの再生を中断位置から再開させるレジューム機能を、備えている。従って、操作者は、前回の再生が最後まで完遂していないコンテンツについて再生を行うときに、早送りボタンを押しながら自分の記憶を頼りに中断位置を探すという手間を掛けなくても済む。
【０００４】
再生装置が持ち運び可能な小型のものである場合、メディア内のコンテンツを居間で途中まで視聴した後、そのメディアと再生装置とを居間から寝室に持ち運び、再生装置に同じコンテンツの再生を指示すれば、その再生装置のレジューム機能により、続きを寝室で視聴することができる。
【０００５】
しかしながら、居間と寝室とにそれぞれ再生装置が設置されている場合において、メディア内のコンテンツを居間の再生装置で途中まで再生し、そのメディアを居間の再生装置から取り外し、その後、そのメディアを寝室の再生装置に装着して、寝室の再生装置に同じコンテンツの再生を指示しても、従来のレジューム機能が１台の再生装置内で完結するものであるため、寝室の再生装置が、同じコンテンツの再生を中断位置から再開することはない。
【０００６】
なお、特許文献１には、複数のクライアントがそれぞれコンテンツサーバからネットワークを介してコンテンツを取得して再生するシステムにおいて、各クライアントが、コンテンツの再生の中断があったときに自機内にレジューム情報を記憶するとともに、レジュームボタンが押下されたときに他のクライアントからレジューム情報を取得してコンテンツの再生を中断位置から再開することが、開示されている。しかしながら、メディアに格納されたコンテンツについて、一方の再生装置で途中まで再生し、そのメディアを他方の再生装置に移し、残りの部分の再生を他方の再生装置で再開できるようにすることは、特許文献１でも解決されていない。
【０００７】
【特許文献１】特開２００７−３０６０７６号公報
【発明の開示】
【発明が解決しようとする課題】
【０００８】
本案は、前述したような従来の事情に鑑みてなされたものであり、その課題は、メディアに格納されたコンテンツについて、一方の再生装置で途中まで再生し、そのメディアを他方の再生装置に移し、残りの部分の再生を他方の再生装置で再開できるようにすることにある。
【課題を解決するための手段】
【０００９】
前述の課題を解決するために案出された再生装置は、メディア内のコンテンツを再生する再生部、操作者からの指示を受けて再生部がコンテンツの再生を中断すると、その中断位置を特定する位置情報とそのコンテンツを特定するコンテンツ情報とそのコンテンツが格納されたメディアを特定するメディア情報とを含む中断情報を、生成する生成部、その生成部が生成した中断情報をネットワークを介して他の再生装置に送信する送信部、他の再生装置からネットワークを介して中断情報を受信すると、記憶装置に記録する記録部、何れかのメディア内の何れかのコンテンツの再生が操作者から指示されると、そのコンテンツに係るコンテンツ情報とメディア情報とを検索条件として、記憶装置を検索する検索部、及び、検索部が記憶装置から中断情報を検出した場合に、再生部に対し、その検出した中断情報に含まれる位置情報にて特定される中断位置から、コンテンツの再生を開始させる制御部を備えることを、特徴としている。
【００１０】
このように構成された再生装置がネットワークを介して複数接続されていれば、一方の再生装置で生成された中断情報は、他方の再生装置に記録されることとなる。このため、メディア内のコンテンツを一方の再生装置で途中まで再生し、そのメディアを他方の再生装置に移し、他方の再生装置に同じコンテンツの再生を指示しても、他方の再生装置は、そのコンテンツに係る中断情報を用いて、そのコンテンツの再生を中断位置から再開することができる。
【００１１】
なお、以上に開示した再生装置に係る動作は、再生制御プログラム又は再生制御方法によっても実現し得る。すなわち、本案は、前述した再生装置の各部と同等に機能する複数の手段としてコンピュータを機能させる再生制御プログラムであってもよいし、それら各部と同等の機能を複数の手順としてコンピュータが実行する再生制御方法であってもよい。また、本案は、再生制御プログラムが格納されたコンピュータ可読媒体であっても良い。
【発明の効果】
【００１２】
従って、開示の再生装置によれば、メディアに格納されたコンテンツについて、一方の再生装置で途中まで再生し、そのメディアを他方の再生装置に移し、残りの部分の再生を他方の再生装置で再開できるようになる。
【発明を実施するための最良の形態】
【００１３】
以下、添付図面を参照しながら、開示した再生装置の実施形態である視聴システムを、二例説明する。
【実施形態１】
【００１４】
《構成》
図１は、第１の実施形態の視聴システムの構成図である。
【００１５】
図１に示すように、第１の実施形態の視聴システムは、第１のビデオ装置１０と、第１のモニタ装置Ｍ１と、第２のビデオ装置２０と、第２のモニタ装置Ｍ２とを、含んでいる。第１のモニタ装置Ｍ１は、第１のビデオ装置１０に接続され、第２のモニタ装置Ｍ２は、第２のビデオ装置２０に接続されている。また、第１及び第２のビデオ装置１０、２０は、ネットワークＮ１を介して通信自在に接続されている。
【００１６】
第１及び第２のビデオ装置１０、２０は、映画やミュージッククリップやテレビドラマやテレビアニメなどのコンテンツをメディアから読み出して再生し、音声映像信号として出力する装置である。ここで、メディアには、ＤＶＤ［Digital Versatile Disk］、メモリーカード、ｉＶＤＲ［Information Versatile Disk for Removable usage］カセット、
ＵＳＢ［Universal Serial Bus］接続対応の外付けＨＤＤ［Hard Disk Drive］装置などがある。第１及び第２のビデオ装置１０、２０の具体例としては、ＤＶＤビデオレコーダ、メモリーカードビデオレコーダ、ｉＶＤＲカセットビデオレコーダ、ビデオレコード機能及びネットワーク通信機能付きテレビ受像機、マルチディスクドライブ及びメモリーカードスロット付き並びにビデオレコード機能付きコンピュータがある。第１の実施形態では、第１及び第２のビデオ装置１０、２０は、一般的な家屋における別々部屋（例えば、居間、応接間、寝室、書斎、子供部屋、台所）にそれぞれ設置されたものとなっている。従って、第１の実施形態のネットワークＮ１は、ホームネットワークとして家屋内に張り巡らされた通信ケーブルや中継装置（中継機能を有するコンピュータ）から構成されている。
【００１７】
なお、第１及び第２のビデオ装置１０、２０は、後述するように、本質的に同じ機能を有するものであり、後述の中断情報の送信側と受信側とを説明上区別するために、第１と第２とに区分したものである。
【００１８】
また、図１では、ビデオ装置が２台しか示されていないが、本案を実施する上では、３台以上のビデオ装置がネットワークＮ１に接続されていても良い。ネットワークＮ１に接続されている３台以上のビデオ装置は、後述するように、何れも、後述の中断情報の送信側にもなり得るし、受信側にもなり得る。
【００１９】
第１及び第２のモニタ装置Ｍ１、Ｍ２は、何れも、第１及び第２のビデオ装置１０、２０から出力される音声映像信号に基づいて音声映像を出力する装置である。第１及び第２のモニタ装置Ｍ１、Ｍ２の具体例としては、テレビ受像機、及び、コンピュータ用のディスプレイ装置がある。これら第１及び第２のモニタ装置Ｍ１、Ｍ２は、図１では、各々、対応するビデオ装置１０、２０に接続されているが、これは、第１及び第２のビデオ装置１０、２０が、家屋内の別々の部屋に設置されているためである。第１及び第２のビデオ装置１０、２０が同一の部屋に設置されていれば、第１及び第２のビデオ装置１０、２０に対し、１台のモニタ装置が共通に利用されても良い。また、ビデオ装置１０、２０が、ビデオレコード機能及びネットワーク通信機能付きテレビ受像機である場合、モニタ装置は省略されても良い。
【００２０】
図２は、第１のビデオ装置１０の構成図である。
【００２１】
図２に示すように、第１のビデオ装置１０は、入力端子ユニット１０ａ、チューナユニット１０ｂ、セレクタユニット１０ｃ、信号処理ユニット１０ｄ、ＯＳＤ［On Screen Display］ユニット１０ｅ、出力インターフェース（ＩＦ）ユニット１０ｆ、出力端子ユニット１０ｇ、マルチディスクドライブユニット１０ｈ、メモリーカードドライブユニット１０ｉ、ｉＶＤＲカセットドライブユニット１０ｊ、ＵＳＢインターフェース（ＩＦ）ユニット１０ｋ、操作表示ユニット１０ｍ、通信ユニット１０ｎ、フラッシュメモリユニット１０ｐ、ＣＰＵ１０ｑ、メインメモリユニット１０ｒを、含んでいる。
【００２２】
入力端子ユニット１０ａは、テレビ信号又は音声映像信号を出力する外部装置に対し、アンテナ線又は音声映像ケーブルを介して接続するためのユニットである。アンテナ線を介して入力端子ユニット１０ａに接続される外部装置の具体例としては、地上アナログアンテナ、地上デジタルアンテナ、ＢＳ［Broadcast Satellite］アナログアンテナ、ＢＳデジタルアンテナ、ＣＳ［Communication Satellite］デジタルアンテナ、有線テレビ放送事業者の施設内のヘッドエンド装置、そのヘッドエンド装置とＣＡＴＶ［Community Antenna Television］網を介して接続されるセットトップボックスがある。また、音声映像ケーブルを介して入力端子ユニット１０ａに接続される外部装置の具体例としては、ＤＶＤプレーヤ、ＨＤＤレコーダ、ビデオゲーム機、ＣＡＴＶセットトップボックスがある。
第１の実施形態のビデオ装置１０は、入力端子ユニット１０ａを３個備えているが、本案を実施する上では、２個以下であっても良いし、４個以上であっても良い。
【００２３】
チューナユニット１０ｂは、入力端子ユニット１０ａから入力された複数のチャンネルのテレビ信号の中から、後述のＣＰＵ１０ｑが視聴対象として指定する１つのチャンネルのテレビ信号を取り出し、圧縮解凍（復号化）して、後述のセレクタユニット１０ｃに出力するためのユニットである。チューナユニット１０ｂは、アンテナ線を介して外部装置に接続されるタイプの入力端子ユニット１０ａに対して接続される。なお、音声映像ケーブルを介して外部装置に接続されるタイプの入力端子ユニット１０ａとセレクタユニット１０ｃとの間には、チューナユニット１０ｂは介在せず、例えば、図示せぬアナログデジタル変換ユニットが介在するのみとなっている。
【００２４】
セレクタユニット１０ｃは、それぞれが１本のルートとなる複数の入力端子ユニット１０ａから入力される複数の音声映像信号の中から、後述のＣＰＵ１０ｑが指定した１本のルートの音声映像信号を、後述の信号処理ユニット１０ｄに連結するためのユニットである。
【００２５】
信号処理ユニット１０ｄは、セレクタユニット１０ｃによって連結された１本のルートを通じて入力される音声映像信号に対し、周知の処理を施すユニットである。
【００２６】
ＯＳＤユニット１０ｅは、後述のＣＰＵ１０ｑから画像データが渡された場合に、その画像データに基づいて、信号処理ユニット１０ｄから入力される映像信号に処理を施すユニットである。具体的には、ＯＳＤユニット１０ｅは、信号処理ユニット１０ｄから出力される映像信号に基づく映像に対し、その画像データに基づく画像がスーパーインポーズされるよう、その映像信号に処理を施す。
【００２７】
出力ＩＦユニット１０ｆは、自己に接続される出力端子ユニット１０ｇに対応した通信規格に従って、信号処理ユニット１０ｄから出力された音声映像信号を出力信号に変換するユニットである。出力信号の具体例としては、コンポジットビデオ信号、Ｓビデオ信号、コンポーネントビデオ信号（ＲＣＡ端子出力信号、Ｄ１〜Ｄ５端子出力信号）、ＤＶＩ［Digital Visual Interface］信号がある。
【００２８】
出力端子ユニット１０ｇは、音声映像信号に基づいて所定の処理を行う外部装置に対し、音声映像ケーブル又はＤＶＩケーブルを介して接続するためのユニットである。
【００２９】
マルチディスクドライブユニット１０ｈは、ＤＶＤやＣＤ［Compact Disk］などの光ディスクからデータを読み出したり、光ディスクにデータを書き込んだりするためのユニットであり、図示していないが、光ディスクを挿抜自在に装着するための機構を、備えている。第１の実施形態のマルチディスクドライブユニット１０ｈが取り扱える光ディスク規格の具体例としては、ＤＶＤ（ＤＶＤ−Ｒ［Recordable］、ＤＶＤ−ＲＷ［ReRecordable］、ＤＶＤ−ＲＯＭ［Read Only Memory］、ＤＶＤ−ＲＡＭ［Random Access Memory］を含む）、ＢＤ［Blu-ray］（ＢＤ−Ｒ［Recordable］、ＢＤ−ＲＥ［ReWritable］、ＢＤ−ＲＯＭを含む）、＋Ｒ／＋ＷＲ、ＣＤ（ＣＤ−Ｒ、ＣＤ−ＲＷ、ＣＤ−ＲＯＭを含む）がある。
【００３０】
メモリーカードドライブユニット１０ｉは、メモリーカードからデータを読み出したり、データをメモリーカードに書き込んだりするためのユニットであり、図示していないが、メモリーカードを挿抜自在に装着するための機構を、備えている。第１の実施形態のメモリーカードドライブユニット１０ｉが取り扱えるメモリーカード規格の具体例としては、ＳＤ［Secure Digital］カード（東芝社、松下電器産業社、及び、米国サンディスク社
商標）、メモリースティック（ソニー社商標）、コンパクトフラッシュ（米国サンディスク社商標）、スマートメディア（東芝社商標）、ｘＤ［eXtreme Digital］ピクチャーカード（富士写真フイルム社及びオリンパス光学工業社商標）がある。
【００３１】
ｉＶＤＲカセットドライブユニット１０ｊは、ｉＶＤＲカセットからデータを読み出したり、データをｉＶＤＲカセットに書き込んだりするためのユニットであり、図示していないが、ｉＶＤＲカセットを挿抜自在に装着するための機構を、備えている。
【００３２】
ＵＳＢＩＦユニット１０ｋは、ＵＳＢ規格に従って、ＵＳＢ対応機器とデータの遣り取りを行うためのユニットである。第１の実施形態では、このＵＳＢＩＦユニット１０ｋには、ＵＳＢ接続対応の外付けＨＤＤ装置が接続され得る。
【００３３】
操作表示ユニット１０ｍは、操作者からの操作を受け付けるとともにルート種別やメディア種別や録画時間などの情報を表示するためのユニットである。操作表示ユニット１０ｍは、図示していないが、ビデオ装置１０の筐体に設けられた各種の操作ボタン、遠隔操作機（リモートコントローラ）からの操作信号を受信するセンサ、及び、上記情報が表示される表示画面を、備えている。
【００３４】
通信ユニット１０ｎは、ネットワークＮ１を介して接続されるコンピュータと所定の通信規格に従ってデータの遣り取りを行うためのユニットである。第１の実施形態では、第１のビデオ装置１０の通信ユニット１０ｎは、通信ケーブルや中継装置（中継機能を有するコンピュータ）を介して第２のビデオ装置２０と接続されている。通信ユニット１０ｎに準拠される通信規格の具体例としては、ＴＣＰ／ＩＰ［Transmission Control Protocol/Internet Protocol］がある。
【００３５】
フラッシュメモリユニット１０ｐは、ビデオ装置１０を制御するための各種のプログラム及び各種のデータが記録されるユニットである。ＣＰＵ１０ｑは、フラッシュメモリユニット１０ｐ内のプログラムに従って各種の処理を実行するユニットである。メインメモリユニット１０ｒは、ＣＰＵ１０ｑがプログラムやデータをキャッシュしたり作業領域を展開したりするためのユニットである。
【００３６】
なお、第１の実施形態では、第１のビデオ装置１０と第２のビデオ装置２０は、本質的に同じ機能を有するものである。従って、図２に示す各ユニット１０ａ〜１０ｋ、１０ｍ、１０ｎ、１０ｐ〜１０ｒには、第２のビデオ装置２０の各ユニット２０ａ〜２０ｋ、２０ｍ、２０ｎ、２０ｐ〜２０ｒの符号も、附している。
【００３７】
図３は、第１（第２）のビデオ装置１０（２０）のフラッシュメモリユニット１０ｐ（２０ｐ）に格納される制御ソフトウエア３１の構成図である。
【００３８】
制御ソフトウエア３１は、従来モジュールとして、テレビ信号を受信するモジュール３１ａ、受信したテレビ信号に基づいてテレビコンテンツを出力するモジュール３１ｂ、テレビコンテンツをメディアに格納するモジュール３１ｃ、メディア内のコンテンツを再生するモジュール３１ｄを、含んでいる。これらモジュール３１ａ〜３１ｄは、何れも、各ユニット１０ａ〜１０ｋ、１０ｍ、１０ｎ、１０ｐ〜１０ｒを制御して、自身の機能を実現するためのプログラム及びデータからなる。
【００３９】
なお、メディア内コンテンツ再生モジュール３１ｄは、前述した再生部に相当している。
【００４０】
また、第１の実施形態の制御ソフトウエア３１は、従来のレジューム機能を含んでいる
。従来のレジューム機能は、コンテンツの再生が一旦中断され、その後に同じコンテンツの再生が指示されたときに、コンテンツの再生を中断位置から再開させる機能である。この従来のレジューム機能を実現するため、制御ソフトウエア３１は、コンテンツ情報管理テーブル３１ｅを含んでいる。コンテンツ情報管理テーブル３１ｅには、再生が中断されたままのコンテンツごとに、中断情報が記録される。その中断情報には、再生が中断された日時（年月日時分秒）を特定するための中断日時情報と、再生の中断位置を特定するための位置情報（再生が済んでいる時間の時分秒）と、再生が中断されたコンテンツを特定するためのコンテンツ情報（例えばタイトル）と、そのコンテンツが格納されているメディア（光ディスク、メモリーカード、ｉＶＤＲカセット、ＵＳＢ接続対応の外付けＨＤＤ装置などの種別）を特定するためのメディア情報とが、含まれる。つまり、コンテンツ情報管理テーブル３１ｅの各レコードは、少なくとも、位置情報、コンテンツ情報、メディア情報がそれぞれ格納される複数のフィールドを、有している。
【００４１】
第１の実施形態の制御ソフトウエア３１は、さらに、本案に係る機能を実現するため、中断継続モジュール３１ｆを、含んでいる。中断継続モジュール３１ｆは、図３に示すように、中断情報登録プログラム４１、他機中断情報管理テーブル５１、受信プログラム５２、保存管理プログラム５３、再生開始制御プログラム５４、及び、削除プログラム６１を、含んでいる。
【００４２】
中断情報登録プログラム４１は、コンテンツ再生の中断に係る中断情報を自機に登録するとともに（従来のレジューム機能）、他のビデオ装置に一斉送信するためのプログラムである。この中断情報登録プログラム４１は、メディア内コンテンツ再生モジュール３１ｄが操作者の指示に従ってコンテンツの再生を中断すると、それを契機として開始されるようになっている。このように、中断情報登録プログラム４１は、中断情報を送信する側の機能を実現するプログラムである。つまり、中断情報登録プログラム４１は、第１のビデオ装置１０に係る機能を実現するものである。なお、この中断情報登録プログラム４１に従ってＣＰＵ１０ｑが実行する処理の内容については、図４及び図５を用いて後述する。
【００４３】
他機中断情報管理テーブル５１は、他のビデオ装置から送信されてきた中断情報を保存しておくためのテーブルである。他機中断情報管理テーブル５１内の各レコードは、中断情報に含まれる中断日時情報、位置情報、コンテンツ情報、及び、メディア情報がそれぞれ格納される複数のフィールドと、中断情報の送信元のビデオ装置を特定するための機器識別情報（例えば、製造メーカー名と機種名と製造番号の組み合わせ）が格納されるフィールドと、中断情報をこのテーブル５１へ登録した日時（年月日時分秒）を特定するための登録日時情報が格納されるフィールドとを、有している。
【００４４】
受信プログラム５２は、他のビデオ装置が中断情報登録プログラム４１に従って送信してきた中断情報と機器識別番号とを他機中断情報管理テーブル５１に登録するためのプログラムである。この受信プログラム５２は、他のビデオ装置から中断情報と機器識別番号とを受信すると、それを契機として開始されるようになっている。このように、受信プログラム５２は、中断情報を受信する側の機能を実現するプログラムである。つまり、受信プログラム５２は、第２のビデオ装置２０に係る機能を実現するものである。なお、この受信プログラム５２に従ってＣＰＵ２０ｑが実行する処理の内容については、図６を用いて後述する。
【００４５】
保存管理プログラム５３は、他機中断情報管理テーブル５１の中から、登録時から所定時間経過した中断情報を、削除するためのプログラムである。この保存管理プログラム５３は、ＣＰＵ２０ｑにより、定期的に起動される。ＣＰＵ２０ｑは、保存管理プログラム５３を起動して保存管理処理を開始すると、登録時から所定時間経過した中断情報を検索
し、登録時から所定時間経過した中断情報を検出すると、その中断情報を含むレコードを他機中断情報管理テーブル５１から削除する。
【００４６】
再生開始制御プログラム５４は、再生が指示されたコンテンツにつき、再生を開始する位置を他機中断情報管理テーブル５１に基づいて特定し、メディア内コンテンツ再生モジュール３１ｄにコンテンツの再生を指示するためのプログラムである。この再生開始制御プログラム５４は、何れかのメディア内の何れかのコンテンツの再生が操作者によって指示されると、それを契機として開始されるようになっている。なお、この再生開始制御プログラム５４に従ってＣＰＵ２０ｑが実行する処理の内容については、図７及び図８を用いて後述する。
【００４７】
削除プログラム６１は、他のビデオ装置から中断情報の削除が指示されたときに、その中断情報を含むレコードを他機中断情報管理テーブル５１から削除するためのプログラムである。
【００４８】
《処理》
以下、第１及び第２のビデオ装置１０、２０の中断継続モジュール３１ｆによって行われる処理の内容について、説明する。
【００４９】
〈中断情報登録〉
図４は、中断情報登録プログラム４１に従ってＣＰＵ１０ｑが実行する中断情報登録処理の流れを示す図である。
【００５０】
中断情報登録処理の開始後、最初のステップＳ１０１では、ＣＰＵ１０ｑは、メディア内コンテンツ再生モジュール３１ｄから、コンテンツ再生の中断に係る情報を取得し、その取得した情報に基づいて、中断情報を生成する。中断情報には、前述したように、位置情報、コンテンツ情報、メディア情報が含まれる。
【００５１】
なお、このステップＳ１０１を実行するＣＰＵ１０ｑは、前述した生成部に相当している。
【００５２】
次のステップＳ１０２では、ＣＰＵ１０ｑは、ステップＳ１０１で生成した中断情報を、コンテンツ情報管理テーブル３１ｅに登録する。
【００５３】
なお、これらステップＳ１０１及びＳ１０２は、従来のレジューム機能による処理でもある。
【００５４】
次のステップＳ１０３では、ＣＰＵ１０ｑは、中断情報の共有（第２のビデオ装置２０への一斉送信）を許可するか否かを定義する設定情報を、フラッシュメモリユニット１０ｐから読み出す。なお、この設定情報の内容を、中断情報の共有の許可と不許可のどちらにするかは、操作者によって事前に決定されている。
【００５５】
次のステップＳ１０４では、ＣＰＵ１０ｑは、ステップＳ１０３で読み出した設定情報が中断情報の共有の不許可を定義するものであるか否かを、判別する。そして、設定情報が中断情報の共有の不許可を定義するものであった場合、ＣＰＵ１０ｑは、図４に係る中断情報登録処理を終了する。一方、設定情報が中断情報の共有の不許可を定義するものでなかった場合（すわなち、設定情報が中断情報の共有の許可を定義するものであった場合）、ＣＰＵ１０ｑは、ステップＳ１０４からステップＳ１０７へ処理を分岐させる。
【００５６】
ステップＳ１０７では、ＣＰＵ１０ｑは、中断情報共有サブルーチンを実行する。
【００５７】
図５は、中断情報共有サブルーチンの流れを示す図である。
【００５８】
中断情報共有サブルーチンの開始後、最初のステップＳ１１１では、ＣＰＵ１０ｑは、自機がネットワークＮ１に接続されているか否かを、判別する。そして、自機がネットワークＮ１に接続されていなかった場合、ＣＰＵ１０ｑは、ステップＳ１１１からステップＳ１１２へ処理を分岐させる。
【００５９】
ステップＳ１１２では、ＣＰＵ１０ｑは、メッセージ表示処理を実行する。ステップＳ１１２のメッセージ表示処理では、ＣＰＵ１０ｑは、自機がネットワークＮ１に接続されていない旨が記述されているとともにＯＫボタンが設けられているメッセージ画面を、ＯＳＤユニット１０ｅを介して出力映像にスーパーインポーズする。このスーパーインポーズにより、第１のモニタ装置Ｍ１には、メッセージ画面が表示される。そして、操作者が、操作表示ユニット１０ｍを介して、ＯＫボタンをクリックすると、ＣＰＵ１０ｑは、メッセージ表示処理を終了し、図５に係る中断情報共有サブルーチン（図４のステップＳ１０７）を終了するとともに、図４に係る中断情報登録処理を終了する。
【００６０】
一方、ステップＳ１１１において、自機がネットワークＮ１に接続されていた場合、ＣＰＵ１０ｑは、ステップＳ１１３へ処理を進める。
【００６１】
ステップＳ１１３では、ＣＰＵ１０ｑは、ネットワークＮ１に接続される全てのビデオ装置に向けて、図４のステップＳ１０１で生成した中断情報と自機の機器識別情報とを一斉送信する。
【００６２】
なお、このステップＳ１１３を実行するＣＰＵ１０ｑは、前述した送信部に相当している。
【００６３】
次のステップＳ１１４では、ＣＰＵ１０ｑは、ステップＳ１１３で中断情報を一斉送信してから所定時間が経過したか否かを、判別する。そして、中断情報を一斉送信してから所定時間が経過していなかった場合、ＣＰＵ１０ｑは、ステップＳ１１４からＳ１１５へ処理を分岐させる。
【００６４】
ステップＳ１１５では、ＣＰＵ１０ｑは、ネットワークＮ１に接続されるビデオ装置のうちの何れかから、中断情報を登録した旨の通知を受信したか否かを、判別する。そして、中断情報を登録した旨の通知を何れかのビデオ装置から受信していなかった場合、ＣＰＵ１０ｑは、ステップＳ１１５から処理を分岐させ、ステップＳ１１４へ処理を戻す。
【００６５】
ＣＰＵ１０ｑは、ステップＳ１１４及びＳ１１５を繰り返し実行している最中に、ネットワークＮ１に接続されるビデオ装置のうちの何れかから、中断情報を登録した旨の通知を受信すると、ステップＳ１１５からステップＳ１１６へ処理を進める。
【００６６】
ステップＳ１１６では、ＣＰＵ１０ｑは、ステップＳ１１５で何れかのビデオ装置から受信した通知に含まれる機器識別情報を、メインメモリユニット１０ｒに一時的に記憶する。その後、ＣＰＵ１０ｑは、ステップＳ１１４へ処理を戻す。
【００６７】
また、ＣＰＵ１０ｑは、ステップＳ１１４及びＳ１１５を繰り返し実行している最中に、ステップＳ１１３で中断情報を一斉送信してから所定時間が経過すると、ステップＳ１１４からステップＳ１１７へ処理を進める。
【００６８】
ステップＳ１１７では、ＣＰＵ１０ｑは、メインメモリユニット１０ｒにおける機器識
別情報の有無に基づいて、中断情報を登録したビデオ装置が存在するか否かを、判別する。そして、中断情報を登録したビデオ装置が存在していなかった場合、ＣＰＵ１０ｑは、ステップＳ１１７からステップＳ１１８へ処理を分岐させる。
【００６９】
ステップＳ１１８では、ＣＰＵ１０ｑは、メッセージ表示処理を実行する。ステップＳ１１８のメッセージ表示処理では、ＣＰＵ１０ｑは、当該コンテンツの再生が再開できるビデオ装置が存在しない旨が記述されているとともにＯＫボタンが設けられているメッセージ画面を、ＯＳＤユニット１０ｅを介して出力映像にスーパーインポーズする。このスーパーインポーズにより、第１のモニタ装置Ｍ１には、メッセージ画面が表示される。そして、操作者が、操作表示ユニット１０ｍを介して、ＯＫボタンをクリックすると、ＣＰＵ１０ｑは、メッセージ表示処理を終了し、図５に係る中断情報共有サブルーチン（図４のステップＳ１０７）を終了するとともに、図４に係る中断情報登録処理を終了する。
【００７０】
一方、ステップＳ１１７において、中断情報を登録したビデオ装置が存在していた場合、ＣＰＵ１０ｑは、ステップＳ１１９へ処理を進める。
【００７１】
ステップＳ１１９では、ＣＰＵ１０ｑは、メッセージ表示処理を実行する。ステップＳ１１９のメッセージ表示処理では、ＣＰＵ１０ｑは、当該コンテンツの再生が再開できるビデオ装置が存在する旨とそのビデオ装置に係る情報とが記述されているとともにＯＫボタンが設けられているメッセージ画面を、ＯＳＤユニット１０ｅを介して出力映像にスーパーインポーズする。なお、当該コンテンツの再生が再開できるビデオ装置に係る情報として、メッセージ画面に記述される情報は、ステップＳ１１６でメインメモリユニット１０ｒに一時的に記憶された機器識別情報に基づいて生成される。このスーパーインポーズにより、第１のモニタ装置Ｍ１には、メッセージ画面が表示される。そして、操作者が、操作表示ユニット１０ｍを介して、ＯＫボタンをクリックすると、ＣＰＵ１０ｑは、メッセージ表示処理を終了し、図５に係る中断情報共有サブルーチン（図４のステップＳ１０７）を終了するとともに、図４に係る中断情報登録処理を終了する。
【００７２】
なお、このステップＳ１１９を実行するＣＰＵ１０ｑは、提示部に相当している。
【００７３】
〈受信〉
図６は、受信プログラム５２に従ってＣＰＵ２０ｑが実行する受信処理の流れを示す図である。
【００７４】
受信処理の開始後、最初のステップＳ２０１では、ＣＰＵ２０ｑは、第１のビデオ装置１０から受信した中断情報から、コンテンツ情報とメディア情報とを読み出す。
【００７５】
次のステップＳ２０２では、ＣＰＵ２０ｑは、ステップＳ２０１で読み出したコンテンツ情報とメディア情報とを検索条件として、他機中断情報管理テーブル５１を検索する。
【００７６】
ステップＳ２０３では、ＣＰＵ２０ｑは、ステップＳ２０２の検索の結果、他機中断情報管理テーブル５１からレコードが検出されたか否かを、判別する。そして、他機中断情報管理テーブル５１からレコードが検出された場合、ＣＰＵ２０ｑは、ステップＳ２０３からステップＳ２０４へ処理を進める。
【００７７】
ステップＳ２０４では、ＣＰＵ２０ｑは、第１のビデオ装置１０から受信した中断情報と機器識別情報とで、検出したレコードの内容を更新する。すなわち、ＣＰＵ２０ｑは、受信した中断情報に含まれる中断日時情報、位置情報、コンテンツ情報、メディア情報を、検出したレコード内のそれらに上書きする。また、ＣＰＵ２０ｑは、中断情報の送信元である第１のビデオ装置１０の機器識別情報を、検出したレコード内の機器識別情報に上
書きするとともに、検出したレコード内の登録日時情報を更新する。その後、ＣＰＵ２０ｑは、ステップＳ２０６へ処理を進める。
【００７８】
一方、ステップＳ２０２の検索の結果、他機中断情報管理テーブル５１からレコードが検出されなかった場合、ＣＰＵ２０ｑは、ステップＳ２０３からステップＳ２０５へ処理を分岐させる。
【００７９】
ステップＳ２０５では、ＣＰＵ２０ｑは、第１のビデオ装置１０から受信した中断情報と機器識別情報とを含むレコードを、他機中断情報管理テーブル５１に登録する。ここで他機中断情報管理テーブル５１に登録されるレコードには、中断情報内の中断日時情報と位置情報とコンテンツ情報とメディア情報、中断情報の送信元である第１のビデオ装置１０の機器識別情報、及び、登録日時情報が、含まれる。その後、ＣＰＵ２０ｑは、ステップＳ２０６へ処理を進める。
【００８０】
ステップＳ２０６では、ＣＰＵ２０ｑは、第１のビデオ装置１０に対し、中断情報を登録した旨の通知を送信する。その後、ＣＰＵ２０ｑは、図６に係る受信処理を終了する。
【００８１】
なお、ステップＳ２０１乃至Ｓ２０６を実行するＣＰＵ２０ｑは、前述した記録部に相当している。また、ステップＳ２０６を実行するＣＰＵ２０ｑは、通知部に相当している。
【００８２】
〈再生開始制御〉
図７は、再生開始制御プログラム５４に従ってＣＰＵ２０ｑが実行する再生開始制御処理の流れを示す図である。
【００８３】
再生開始制御処理の開始後、最初のステップＳ３０１では、ＣＰＵ２０ｑは、操作者によって再生が指示されたコンテンツのコンテンツ情報と、そのコンテンツが格納されているメディアのメディア情報とを、取得する。
【００８４】
次のステップＳ３０２では、ＣＰＵ２０ｑは、ステップＳ３０１で取得したコンテンツ情報とメディア情報とを検索条件として、コンテンツ情報管理テーブル３１ｅを検索する。
【００８５】
ステップＳ３０３では、ＣＰＵ２０ｑは、ステップＳ３０２の検索の結果、コンテンツ情報管理テーブル３１ｅからレコードが検出されたか否かを、判別する。そして、コンテンツ情報管理テーブル３１ｅからレコードが検出された場合、ＣＰＵ２０ｑは、ステップＳ３０３からステップＳ３０４へ処理を進める。
【００８６】
ステップＳ３０４では、ＣＰＵ２０ｑは、ステップＳ３０２の検索により検出したレコード内の中断情報から位置情報を読み出すとともに、当該メディア内の当該コンテンツについて、読み出した位置情報にて特定される中断位置からの再生を、メディア内コンテンツ再生モジュール３１ｄに指示する。なお、メディア内コンテンツ再生モジュール３１ｄは、この指示を受けて、当該メディア内の当該コンテンツの再生を、その中断位置から開始する。
【００８７】
なお、これらステップＳ３０１乃至Ｓ３０４は、従来のレジューム機能による処理でもある。
【００８８】
次のステップＳ３０５では、ＣＰＵ２０ｑは、ステップＳ３０２の検索により検出したレコード内の中断情報と同じ中断情報を含むレコードを他機中断情報管理テーブル５１か
ら削除する指示を、他のビデオ装置に一斉送信する。なお、この指示を受信した他のビデオ装置は、自己の削除プログラム６１に従って、自己の他機中断情報管理テーブル５１からその中断情報を含むレコードを削除する。その後、ＣＰＵ２０ｑは、図７に係る再生開始制御処理を終了する。
【００８９】
一方、ステップＳ３０２の検索の結果、コンテンツ情報管理テーブル３１ｅからレコードが検出されなかった場合、ＣＰＵ２０ｑは、ステップＳ３０３からステップＳ３０６へ処理を分岐させる。
【００９０】
ステップＳ３０６では、ＣＰＵ２０ｑは、他機中断情報使用サブルーチンを実行する。
【００９１】
図８は、他機中断情報使用サブルーチンの流れを示す図である。
【００９２】
他機中断情報使用サブルーチンの開始後、最初のステップＳ３１１では、ＣＰＵ２０ｑは、図７のステップＳ３０１で取得した取得したコンテンツ情報とメディア情報とを検索条件として、他機中断情報管理テーブル５１を検索する。
【００９３】
なお、このステップＳ３１１を実行するＣＰＵ２０ｑは、前述した検索部に相当している。
【００９４】
次のステップＳ３１２では、ＣＰＵ２０ｑは、ステップＳ３１１の検索の結果、他機中断情報管理テーブル５１からレコードが検出されたか否かを、判別する。そして、他機中断情報管理テーブル５１からレコードが検出されなかった場合、ＣＰＵ２０ｑは、ステップＳ３１２から処理を分岐させ、図８に係る他機中断情報使用サブルーチン（図７のステップＳ３０６）を終了するとともに、図７に係る再生開始制御処理を終了する。一方、他機中断情報管理テーブル５１からレコードが検出された場合、ＣＰＵ２０ｑは、ステップＳ３１２からステップＳ３１５へ処理を進める。
【００９５】
ステップＳ３１５では、ＣＰＵ２０ｑは、検出したレコード内の中断情報と機器識別情報とを表示する処理を行う。具体的には、ＣＰＵ２０ｑは、当該中断情報に含まれる中断日時情報、位置情報、コンテンツ情報、及び、メディア情報と機器識別情報と中断位置からの再生の許可を照会する旨とが記述されているとともに「はい」ボタンと「いいえ」ボタンとが設けられているメッセージ画面を、ＯＳＤユニット１０ｅを介して出力映像にスーパーインポーズする。このスーパーインポーズにより、第２のモニタ装置Ｍ２には、メッセージ画面が表示される。
【００９６】
次のステップＳ３１６では、ＣＰＵ２０ｑは、ステップＳ３１５で第２のモニタ装置Ｍ２に表示したメッセージ画面の「はい」ボタン又は「いいえ」ボタンがクリックされるまで、待機する。そして、「はい」ボタン又は「いいえ」ボタンがクリックされると、ＣＰＵ２０ｑは、ステップＳ３１６からステップＳ３１７へ処理を進める。
【００９７】
ステップＳ３１７では、ＣＰＵ２０ｑは、クリックされたボタンが「はい」ボタンであったか否かを、判別する。すなわち、ＣＰＵ２０ｑは、中断位置からの再生を操作者が許可したか否かを、判別する。そして、クリックされたボタンが「はい」ボタンであった場合、ＣＰＵ２０ｑは、ステップＳ３１７からステップＳ３１８へ処理を進める。
【００９８】
ステップＳ３１８では、ＣＰＵ２０ｑは、ステップＳ３１１の検索により検出したレコード内の中断情報から位置情報を読み出すとともに、当該メディア内の当該コンテンツについて、読み出した位置情報にて特定される中断位置からの再生を、メディア内コンテンツ再生モジュール３１ｄに指示する。なお、メディア内コンテンツ再生モジュール３１ｄ
は、この指示を受けて、当該メディア内の当該コンテンツの再生を、その中断位置から開始する。
【００９９】
なお、これらステップＳ３１５乃至Ｓ３１８を実行するＣＰＵ２０ｑは、前述した制御部に相当している。
【０１００】
次のステップＳ３１９では、ＣＰＵ２０ｑは、ステップＳ３１１の検索により検出したレコード内の中断情報と同じ中断情報を含むレコードを他機中断情報管理テーブル５１から削除する指示を、他のビデオ装置に一斉送信する。なお、この指示を受信した他のビデオ装置は、自己の削除プログラム６１に従って、自己の他機中断情報管理テーブル５１からその中断情報を含むレコードを削除する。その後、ＣＰＵ２０ｑは、図８に係る他機中断情報使用サブルーチン（図７のステップＳ３０６）を終了するとともに、図７に係る再生開始制御処理を終了する。
【０１０１】
一方、ステップＳ３１７において、クリックされたボタンが「いいえ」ボタンであった場合（すなわち、中断位置からの再生を操作者が拒否した場合）、ＣＰＵ２０ｑは、ステップＳ３２０へ処理を進める。
【０１０２】
ステップＳ３２０では、ＣＰＵ２０ｑは、当該メディア内の当該コンテンツについて、先頭位置からの再生を、メディア内コンテンツ再生モジュール３１ｄに指示する。なお、メディア内コンテンツ再生モジュール３１ｄは、この指示を受けて、当該メディア内の当該コンテンツの再生を、先頭位置から開始する。その後、ＣＰＵ２０ｑは、図８に係る他機中断情報使用サブルーチン（図７のステップＳ３０６）を終了するとともに、図７に係る再生開始制御処理を終了する。
【０１０３】
《作用効果》
第１の実施形態の中断情報登録処理（図４及び図５）と受信処理（図６）とによれば、ビデオ装置の操作者が、何れかのメディア内の何れかのコンテンツにつき、再生を中断すると、中断情報が、第１のビデオ装置１０となるこのビデオ装置から、このビデオ装置とネットワークＮ１を介して接続されている第２のビデオ装置２０に送信され（Ｓ１０１〜Ｓ１０３、Ｓ１０４；いいえ、Ｓ１０７、Ｓ１１１；はい、Ｓ１１３）、第２のビデオ装置２０に登録されることとなる（Ｓ２０１〜Ｓ２０５）。
【０１０４】
また、第１の実施形態の再生開始制御処理（図７及び図８）によれば、第２のビデオ装置２０の操作者が、第１のビデオ装置１０で再生を中断したコンテンツが格納されているメディアを、第２のビデオ装置２０の各ユニット１０ｈ〜１０ｋのうちの対応するユニットに装着し、そのメディア内の当該コンテンツにつき、再生を指示すると、そのコンテンツの中断情報が、他機中断情報管理テーブル５１から検出され（Ｓ３０１、Ｓ３０２、Ｓ３０３；いいえ、Ｓ３０６、Ｓ３１１、Ｓ３１２；はい）、その中断情報の位置情報にて特定される中断位置から、当該コンテンツの再生が開始されることとなる（Ｓ３１５、Ｓ３１６、Ｓ３１７；はい、Ｓ３１８）。
【０１０５】
従って、第１の実施形態によれば、メディアに格納されたコンテンツについて、一方のビデオ装置で途中まで再生し、そのメディアを他方のビデオ装置に移し、残りの部分の再生を他方のビデオ装置で再開できるようになる。
【０１０６】
また、第１の実施形態によれば、中断情報の位置情報にて特定される中断位置から、コンテンツの再生を開始するか否かが、操作者に照会される（Ｓ３１５）。このため、第１の操作者が、第１のビデオ装置１０において、メディア内のコンテンツの再生を中断した後、その第１の操作者とは別の第２の操作者が、同じメディアを、第２のビデオ装置２０
に装着して、同じコンテンツの再生を指示した場合に、第２の操作者は、コンテンツの再生を先頭位置から開始させることができる（Ｓ３１６、Ｓ３１７；いいえ、Ｓ３２０）。
【０１０７】
また、第１の実施形態によれば、コンテンツの再生が、中断情報の位置情報にて特定される中断位置から開始された場合（Ｓ３０４、Ｓ３１８）、同じ中断情報を含むレコードを他機中断情報管理テーブル５１から削除する指示が、ネットワークＮ１に接続されている全てのビデオ装置に一斉送信される（Ｓ３０５、Ｓ３１９）。このため、一度使用された中断情報は、どのビデオ装置でも使用されることがない。
【０１０８】
また、第１の実施形態によれば、保存管理プログラム５３による保存管理処理が、第２のビデオ装置２０のＣＰＵ２０ｑによって定期的に実行されるため、他機中断情報管理テーブル５１に登録されている中断情報は、登録時から所定時間経過すると、そのテーブル５１から削除される。このため、古い中断情報が、いつまでも第２のビデオ装置２０に保存されることがない。
【実施形態２】
【０１０９】
第２の実施形態は、コンテンツが格納されているメディアが、データの書き込みを許容しているメディアである場合に、そのコンテンツに係る中断情報を同じメディア内に書き込む処理が更に行われる点で、第１の実施形態と相違する。それ以外の処理に関しては、第２の実施形態は、第１の実施形態と同じである。また、ハードウエア構成（図１及び図２）に関しても、第２の実施形態は、第１の実施形態と同じである。以下、第２の実施形態における第１の実施形態と相違する部分について、説明する。
【０１１０】
《処理》
〈中断情報登録〉
図９は、第２の実施形態の中断情報登録プログラム４１に従ってＣＰＵ１０ｑが実行する中断情報登録処理の流れを示す図である。
【０１１１】
図９と図４とを比較して明かなように、第２の実施形態では、ＣＰＵ１０ｑが、ステップＳ１０４において、フラッシュメモリユニット１０ｐ内の設定情報が中断情報の共有の不許可を定義するものであると判別した後、ステップＳ１０７において、中断情報共有サブルーチン（図５）を実行する前に、ステップＳ１０５及びＳ１０６を実行するようになっている。
【０１１２】
ステップＳ１０５では、ＣＰＵ１０ｑは、再生が中断されたコンテンツが格納されているメディアが、データの書き込みを許容しているメディアであるか否かを、判別する。そして、再生が中断されたコンテンツが格納されているメディアが、データの書き込みを許容しているメディアでなかった場合（例えば、メディアが、コンテンツとして映画が格納された市販のＤＶＤ−ＲＯＭであった場合）、ＣＰＵ１０ｑは、ステップＳ１０５からステップＳ１０７へ処理を分岐させる。一方、再生が中断されたコンテンツが格納されているメディアが、データの書き込みを許容しているメディアであった場合（例えば、メディアが、放送局が放送したテレビ番組が録画されているＤＶＤ−ＲＡＭであった場合）、ＣＰＵ１０ｑは、ステップＳ１０５からステップＳ１０６へ処理を進める。
【０１１３】
ステップＳ１０６では、ＣＰＵ１０ｑは、再生が中断されたコンテンツが格納されているメディアに、ステップＳ１０１で生成した中断情報と自機の機器識別情報とを書き込む。具体的には、ＣＰＵ１０ｑは、メディア内に事前に用意されているテーブルに、中断情報（中断日時情報、位置情報、コンテンツ情報、メディア情報）と機器識別情報とを含むレコードを登録する。なお、当該コンテンツに係る中断情報が既に同じメディアに書き込まれている場合、ＣＰＵ１０ｑは、その中断情報と機器識別情報とに、ステップＳ１０１
で生成した中断情報と自機の機器識別情報とを上書きする。その後、ＣＰＵ１０ｑは、ステップＳ１０５へ処理を進める。
【０１１４】
なお、これらステップＳ１０５及びＳ１０６を実行するＣＰＵ１０ｑは、書込部に相当している。
【０１１５】
〈再生開始制御〉
図１０は、第２の実施形態の他機中断情報使用サブルーチン（図７のステップＳ３０６で実行されるサブルーチン）の流れを示す図である。
【０１１６】
図１０と図８と比較して明かなように、第２の実施形態では、ＣＰＵ２０ｑが、ステップＳ３１２において、他機中断情報管理テーブル５１からレコードが検出されたと判別した後、ステップＳ３１５において、検出したレコード内の中断情報と機器識別情報とを表示する処理を行う前に、ステップＳ３１３及びＳ３１４を実行するようになっている。
【０１１７】
ステップＳ３１３では、ＣＰＵ２０ｑは、図７のステップＳ３０１で取得したコンテンツ情報を検索条件として、同じく図７のステップＳ３０１で取得したメディア情報にて特定されるメディア内のテーブルを、検索する。
【０１１８】
次のステップＳ３１４では、ＣＰＵ２０ｑは、ステップＳ３１３の検索の結果、当該メディア内のテーブルからレコードが検出されたか否かを、判別する。そして、当該メディア内のテーブルからレコードが検出されなかった場合、ＣＰＵ２０ｑは、ステップＳ３１２から処理を分岐させ、図８に係る他機中断情報使用サブルーチン（図７のステップＳ３０６）を終了するとともに、図７に係る再生開始制御処理を終了する。一方、当該メディア内のテーブルからからレコードが検出された場合、ＣＰＵ２０ｑは、ステップＳ３１４からステップＳ３１５へ処理を進める。
【０１１９】
なお、図１０のステップＳ３１３乃至Ｓ３１８を実行するＣＰＵ２０ｑは、制御部に相当している。
【０１２０】
《作用効果》
第２の実施形態の中断情報登録処理（図９及び図５）と受信処理（図６）とによっても、ビデオ装置の操作者が、何れかのメディア内の何れかのコンテンツにつき、再生を中断すると、中断情報が、第１のビデオ装置１０となるこのビデオ装置から、このビデオ装置とネットワークＮ１を介して接続されている第２のビデオ装置２０に送信され（Ｓ１０１〜Ｓ１０３、Ｓ１０４；いいえ、Ｓ１０７、Ｓ１１１；はい、Ｓ１１３）、第２のビデオ装置２０に登録されることとなる（Ｓ２０１〜Ｓ２０５）。
【０１２１】
また、第２の実施形態の再生開始制御処理（図７及び図１０）によっても、第２のビデオ装置２０の操作者が、第１のビデオ装置１０で再生を中断したコンテンツが格納されているメディアを、第２のビデオ装置２０の各ユニット１０ｈ〜１０ｋのうちの対応するユニットに装着し、そのメディア内の当該コンテンツにつき、再生を指示すると、そのコンテンツの中断情報が、他機中断情報管理テーブル５１から検出され（Ｓ３０１、Ｓ３０２、Ｓ３０３；いいえ、Ｓ３０６、Ｓ３１１、Ｓ３１２；はい）、その中断情報の位置情報にて特定される中断位置から、当該コンテンツの再生が開始されることとなる（Ｓ３１５、Ｓ３１６、Ｓ３１７；はい、Ｓ３１８）。
【０１２２】
従って、第２の実施形態によても、メディアに格納されたコンテンツについて、一方のビデオ装置で途中まで再生し、そのメディアを他方のビデオ装置に移し、残りの部分の再生を他方のビデオ装置で再開できるようになる。
【０１２３】
さらに、第２の実施形態によれば、ビデオ装置の操作者が、何れかのメディア内の何れかのコンテンツにつき、再生を中断すると、中断情報が、第２のビデオ装置２０に送信されるだけでなく（Ｓ１０７、Ｓ１１１；はい、Ｓ１１３）、そのメディアにも書き込まれる（Ｓ１０５；はい、Ｓ１０６）。
【０１２４】
そして、第２のビデオ装置２０の操作者が、そのメディア内の同じコンテンツにつき、再生を指示した場合において、そのコンテンツの中断情報が、他機中断情報管理テーブル５１から検出されなかったときには（Ｓ３１２；いいえ）、そのメディアから当該コンテンツの中断情報が検出され（Ｓ３１３、Ｓ３１４；いいえ）、その中断情報の位置情報にて特定される中断位置から、当該コンテンツの再生が開始されることとなる（Ｓ３１５、Ｓ３１６、Ｓ３１７；はい、Ｓ３１８）。
【０１２５】
従って、第２の実施形態によれば、何らかの原因により、コンテンツの再生の中断により生成される中断情報が、どの第２のビデオ装置２０にも登録されなかったとしても、そのコンテンツが格納されているメディアが、データの書き込みを許容するメディアであれば、第２のビデオ装置２０において、同じコンテンツの再生を中断位置から開始することができる。
【０１２６】
《ユニットに関する説明》
以上に説明した第１及び第２の実施形態において、ビデオ装置１０、２０の各ユニット１０ａ〜１０ｋ、１０ｍ、１０ｎ、１０ｐ〜１０ｒ、２０ａ〜２０ｋ、２０ｍ、２０ｎ、２０ｐ〜２０ｒは、何れも、ソフトウエア要素とハードウエア要素とから構成されていても良いし、ハードウエア要素のみで構成されていても良い。
【０１２７】
ソフトウエア要素としては、インターフェースプログラム、ドライバプログラム、テーブル、及び、データ、並びに、これらのうちの幾つかを組み合わせたものが、例示できる。これらは、後述のコンピュータ可読媒体に格納されたものであっても良いし、ＲＯＭ［Read Only Memory］及びＬＳＩ［Large Scale Integration］などの記憶装置に固定的に組み込まれたファームウエアであっても良い。
【０１２８】
また、ハードウエア要素としては、ＦＰＧＡ［Field Programmable Gate Array］、ＡＳＩＣ［Application Specific Integrated Circuit］、ゲートアレイ、論理ゲートの組み合わせ、信号処理回路、アナログ回路、及び、その他の回路が、例示できる。このうち、論理ゲートには、ＡＮＤ、ＯＲ、ＮＯＴ、ＮＡＮＤ、ＮＯＲ、フリップフロップ、カウンタ回路などが、含まれていてもよい。また、信号処理回路には、信号値の加算、乗算、除算、反転、積和演算、微分、積分などを実行する回路要素が、含まれていてもよい。また、アナログ回路には、増幅、加算、乗算、微分、積分などを実行する回路要素が、含まれていてもよい。
【０１２９】
なお、前述したビデオ装置１０、２０の各ユニット１０ａ〜１０ｋ、１０ｍ、１０ｎ、１０ｐ〜１０ｒ、２０ａ〜２０ｋ、２０ｍ、２０ｎ、２０ｐ〜２０ｒをそれぞれ構成する要素は、以上に例示したものに限定されず、これらと等価な他の要素であっても良い。
【０１３０】
《ソフトウエア及びプログラムに関する説明》
以上に説明した第１及び第２の実施形態において、ビデオ装置１０、２０のフラッシュメモリユニット１０ｐ、２０ｐ内の制御ソフトウエア３１、この制御ソフトウエア３１を構成する各モジュール３１ａ〜３１ｄ、３１ｆ、コンテンツ情報管理テーブル３１ｅ、中断継続モジュール３１ｆを構成する各プログラム４１、５２〜５４、６１、及び、他機中断情報管理テーブル５１、並びに、前述したソフトウエア要素は、何れも、ソフトウエア
部品、手続き型言語による部品、オブジェクト指向ソフトウエア部品、クラス部品、タスクとして管理される部品、プロセスとして管理される部品、関数、属性、プロシジャ（手続き）、サブルーチン（ソフトウエアルーチン）、プログラムコードの断片又は部分、ドライバ、ファームウエア、マイクロコード、コード、コードセグメント、エクストラセグメント、スタックセグメント、プログラム領域、データ領域、データ、データベース、データ構造、フィールド、レコード、テーブル、マトリックステーブル、配列、変数、パラメータなどの要素を、含んでいても良い。
【０１３１】
また、前述したビデオ装置１０、２０のフラッシュメモリユニット１０ｐ、２０ｐ内の制御ソフトウエア３１、この制御ソフトウエア３１を構成する各モジュール３１ａ〜３１ｄ、３１ｆ、コンテンツ情報管理テーブル３１ｅ、中断継続モジュール３１ｆを構成する各プログラム４１、５２〜５４、６１、及び、他機中断情報管理テーブル５１、並びに、前述したソフトウエア要素は、何れも、Ｃ言語、Ｃ＋＋、Ｊａｖａ（米国サンマイクロシステムズ社商標）、ビジュアルベーシック（米国マイクロソフト社商標）、Ｐｅｒｌ、Ｒｕｂｙ、その他の多くのプログラミング言語により記述されたものであっても良い。
【０１３２】
また、前述したビデオ装置１０、２０のフラッシュメモリユニット１０ｐ、２０ｐ内の制御ソフトウエア３１、この制御ソフトウエア３１を構成する各モジュール３１ａ〜３１ｄ、３１ｆ、コンテンツ情報管理テーブル３１ｅ、中断継続モジュール３１ｆを構成する各プログラム４１、５２〜５４、６１、及び、他機中断情報管理テーブル５１、並びに、前述したソフトウエア要素に含まれる命令、コード及びデータは、有線ネットワークカード及び有線ネットワークを通じて、又は、無線カード及び無線ネットワークを通じて、コンピュータ、又は、機械若しくは装置に組み込まれたコンピュータに、送信又はローディングされても良い。
【０１３３】
前述した送信又はローディングにおいて、データ信号は、例えば搬送波に組み込まれることにより、有線ネットワーク又は無線ネットワーク上を移動する。但し、データ信号は、前述した搬送波に依らず、いわゆるベースバンド信号のまま転送されても良い。このような搬送波は、電気的、磁気的又は電磁的な形態、光、音響、又は、その他の形態で、送信される。
【０１３４】
ここで、有線ネットワーク又は無線ネットワークは、例えば、電話回線、ネットワーク回線、ケーブル（光ケーブル、金属ケーブルを含む）、無線リンク、携帯電話アクセス回線、ＰＨＳ［Personal Handyphone System］網、無線ＬＡＮ［Local Area Network］、Bluetooth（ブルートゥース特別利益団体の商標）、車両搭載型無線通信（ＤＳＲＣ［Dedicated Short Range Communication］を含む）、及び、これらのうちの何れかからなるネットワークである。そして、このデータ信号は、命令、コード及びデータを含む情報を、ネットワーク上のノード又は要素に、伝達する。
【０１３５】
なお、前述したビデオ装置１０、２０のフラッシュメモリユニット１０ｐ、２０ｐ内の制御ソフトウエア３１、この制御ソフトウエア３１を構成する各モジュール３１ａ〜３１ｄ、３１ｆ、コンテンツ情報管理テーブル３１ｅ、中断継続モジュール３１ｆを構成する各プログラム４１、５２〜５４、６１、及び、他機中断情報管理テーブル５１、並びに、前述したソフトウエア要素を構成する要素は、以上に例示したものに限定されず、これらと等価な他の要素であっても良い。
【０１３６】
《コンピュータ可読媒体に関する説明》
以上に説明した第１及び第２の実施形態における何れかの機能は、コード化されてコンピュータ可読媒体の記憶領域に格納されていても良い。この場合、その機能を実現するためのプログラムが、このコンピュータ可読媒体を介して、コンピュータ、又は、機械若し
くは装置に組み込まれたコンピュータに、提供され得る。コンピュータ、又は、機械若しくは装置に組み込まれたコンピュータは、コンピュータ可読媒体の記憶領域からプログラムを読み出してそのプログラムを実行することによって、その機能を実現することができる。
【０１３７】
ここで、コンピュータ可読媒体とは、電気的、磁気的、光学的、化学的、物理的又は機械的な作用によって、プログラム及びデータ等の情報を蓄積するとともに、コンピュータに読み取られ得る状態でその情報を保持する記録媒体をいう。
【０１３８】
電気的又は磁気的な作用としては、ヒューズによって構成されるＲＯＭ［Read Only Memory］上の素子へのデータの書き込みが、例示できる。磁気的又は物理的な作用としては、紙媒体上の潜像へのトナーの現像が、例示できる。なお、紙媒体に記録された情報は、例えば、光学的に読み取ることができる。光学的且つ化学的な作用としては、基盤上での薄膜形成又は凹凸形成が、例示できる。なお、凹凸の形態で記録された情報は、例えば、光学的に読み取ることができる。化学的な作用としては、基板上での酸化還元反応、又は、半導体基板上での酸化膜形成、窒化膜形成、若しくは、フォトレジスト現像が、例示できる。物理的又は機械的な作用としては、エンボスカードへの凹凸形成、又は、紙媒体へのパンチの穿孔が、例示できる。
【０１３９】
また、コンピュータ可読媒体の中には、コンピュータ、又は、機械若しくは装置に組み込まれたコンピュータに着脱自在に装着できるものがある。着脱自在なコンピュータ可読媒体としては、ＤＶＤ（ＤＶＤ−Ｒ、ＤＶＤ−ＲＷ、ＤＶＤ−ＲＯＭ、ＤＶＤ−ＲＡＭを含む）、＋Ｒ／＋ＷＲ、ＢＤ（ＢＤ−Ｒ、ＢＤ−ＲＥ、ＢＤ−ＲＯＭを含む）、ＣＤ（ＣＤ−Ｒ、ＣＤ−ＲＷ、ＣＤ−ＲＯＭを含む）、ＭＯ［Magneto Optical］ディスク、その他の光ディスク媒体、フレキシブルディスク（フロッピーディスク（フロッピーは日立製作所社商標）を含む）、その他の磁気ディスク媒体、メモリーカード（コンパクトフラッシュ（米国サンディスク社商標）、スマートメディア（東芝社商標）、ＳＤカード（米国サンディスク社、松下電器産業社、東芝社商標）、メモリースティック（ソニー社商標）、ＭＭＣ（米国ジーメンス社、米国サンディスク社商標）など）、磁気テープ、及び、その他のテープ媒体、並びに、これらのうちの何れかを内蔵した記憶装置が、例示できる。記憶装置には、ＤＲＡＭ［Dynamic Random Access Memory］又はＳＲＡＭ［Static Random Access Memory］がさらに内蔵されたものもある。
【０１４０】
また、コンピュータ可読媒体の中には、コンピュータ、又は、機械若しくは装置に組み込まれたコンピュータに固定的に装着されたものがある。この種のコンピュータ可読媒体としては、ハードディスク、ＤＲＡＭ、ＳＲＡＭ、ＲＯＭ、ＥＥＰＲＯＭ［Electronically Erasable and Programmable Read Only Memory］、フラッシュメモリなどが、例示できる。
【０１４１】
前述した第１及び第２の実施形態に関し、更に、以下の付記を開示する。
【０１４２】
（付記１）
メディア内のコンテンツを再生する再生部、
操作者からの指示を受けて前記再生部がコンテンツの再生を中断すると、その中断位置を特定する位置情報とそのコンテンツを特定するコンテンツ情報とそのコンテンツが格納されたメディアを特定するメディア情報とを含む中断情報を、生成する生成部、
前記生成部が生成した中断情報をネットワークを介して他の再生装置に送信する送信部、
他の再生装置から前記ネットワークを介して中断情報を受信すると、記憶装置に記録する記録部、
何れかのメディア内の何れかのコンテンツの再生が操作者から指示されると、そのコンテンツに係るコンテンツ情報とメディア情報とを検索条件として、前記記憶装置を検索する検索部、及び、
前記検索部が前記記憶装置から中断情報を検出した場合に、前記再生部に対し、その検出した中断情報に含まれる位置情報にて特定される中断位置から、コンテンツの再生を開始させる制御部
を備えることを特徴とする再生装置。
【０１４３】
（付記２）
再生が中断されたコンテンツが格納されているメディアが、データの書き込みを許容しているメディアである場合に、前記生成部が生成した中断情報をそのメディアに書き込む書込部
を更に備え、
前記制御部は、
前記検索部が前記記憶装置から中断情報を検出できなかった場合において、再生が指示されたコンテンツが格納されているメディアに中断情報が書き込まれているときには、そのメディアから中断情報を読み出し、前記再生部に対し、その読み出した中断情報に含まれる位置情報にて特定される中断位置から、コンテンツの再生を開始させる
ことを特徴とする付記１記載の再生装置。
【０１４４】
（付記３）
前記制御部は、
前記検索部が前記記憶装置から中断情報を検出した場合に、中断位置からの再生を行うか否かを操作者に照会し、中断位置からの再生が操作者から指示されたときに、前記再生部に対し、その検出された中断情報に含まれる位置情報にて特定される中断位置から、コンテンツの再生を開始させる
ことを特徴とする付記１又は２記載の再生装置。
【０１４５】
（付記４）
前記記録部が前記記憶装置に中断情報を記録してから所定時間が経過すると、その中断情報を前記記憶装置から削除する削除部
を更に備えることを特徴とする付記１、２又は３記載の再生装置。
【０１４６】
（付記５）
前記記録部が前記記憶装置に中断情報を記録すると、その中断情報の送信元に受領を通知する通知部、及び、
前記送信部が中断情報を他の再生装置に送信した後、他の再生装置から受領が通知されると、その受領を通知してきた他の再生装置に係る情報を操作者に提示する提示部
を更に備えることを特徴とする付記１乃至４の何れか１つに記載の再生装置。
【０１４７】
（付記６）
メディア内のコンテンツを再生する再生手段を有するコンピュータを、
操作者からの指示を受けて前記再生手段がコンテンツの再生を中断すると、その中断位置を特定する位置情報とそのコンテンツを特定するコンテンツ情報とそのコンテンツが格納されたメディアを特定するメディア情報とを含む中断情報を、生成する生成手段、
前記生成手段が生成した中断情報をネットワークを介して他のコンピュータに送信する送信手段、
他のコンピュータから前記ネットワークを介して中断情報を受信すると、記憶装置に記録する記録手段、
何れかのメディア内の何れかのコンテンツの再生が操作者から指示されると、そのコン
テンツに係るコンテンツ情報とメディア情報とを検索条件として、前記記憶装置を検索する検索手段、及び、
前記検索手段が前記記憶装置から中断情報を検出した場合に、前記再生手段に対し、その検出した中断情報に含まれる位置情報にて特定される中断位置から、コンテンツの再生を開始させる制御手段
として機能させる
ことを特徴とする再生制御プログラム。
【０１４８】
（付記７）
前記コンピュータを、更に
再生が中断されたコンテンツが格納されているメディアが、データの書き込みを許容しているメディアである場合に、前記生成手段が生成した中断情報をそのメディアに書き込む書込手段
として機能させ、
前記制御手段は、
前記検索手段が前記記憶装置から中断情報を検出できなかった場合において、再生が指示されたコンテンツが格納されているメディアに中断情報が書き込まれているときには、そのメディアから中断情報を読み出し、前記再生手段に対し、その読み出した中断情報に含まれる位置情報にて特定される中断位置から、コンテンツの再生を開始させる
ことを特徴とする付記６記載の再生制御プログラム。
【０１４９】
（付記８）
前記制御手段は、
前記検索手段が前記記憶装置から中断情報を検出した場合に、中断位置からの再生を行うか否かを操作者に照会し、中断位置からの再生が操作者から指示されたときに、前記再生部に対し、その検出された中断情報に含まれる位置情報にて特定される中断位置から、コンテンツの再生を開始させる
ことを特徴とする付記６又は７記載の再生制御プログラム。
【０１５０】
（付記９）
前記コンピュータを、更に、
前記記録手段が前記記憶装置に中断情報を記録してから所定時間が経過すると、その中断情報を前記記憶装置から削除する削除手段
として機能させる
ことを特徴とする付記６、７又は８記載の再生制御プログラム。
【０１５１】
（付記１０）
前記コンピュータを、更に、
前記記録手段が前記記憶装置に中断情報を記録すると、その中断情報の送信元に受領を通知する通知手段、及び、
前記送信手段が中断情報を他の再生装置に送信した後、他の再生装置から受領が通知されると、その受領を通知してきた他の再生装置に係る情報を操作者に提示する提示手段
として機能させる
ことを特徴とする付記６乃至９の何れか１つに記載の再生制御プログラム。
【０１５２】
（付記１１）
メディア内のコンテンツを再生する再生手段を有するビデオ装置が、
操作者からの指示を受けて前記再生手段がコンテンツの再生を中断すると、その中断位置を特定する位置情報とそのコンテンツを特定するコンテンツ情報とそのコンテンツが格納されたメディアを特定するメディア情報とを含む中断情報を、生成する生成手順、
前記生成手順で生成した中断情報をネットワークを介して他のビデオ装置に送信する送信手順、
他のビデオ装置から前記ネットワークを介して中断情報を受信すると、記憶装置に記録する記録手順、
何れかのメディア内の何れかのコンテンツの再生が操作者から指示されると、そのコンテンツに係るコンテンツ情報とメディア情報とを検索条件として、前記記憶装置を検索する検索手順、及び、
前記記憶装置から中断情報を検出した場合に、前記再生手段に対し、その検出した中断情報に含まれる位置情報にて特定される中断位置から、コンテンツの再生を開始させる制御手順
を実行する
ことを特徴とする再生制御方法。
【０１５３】
（付記１２）
前記ビデオ装置が、更に、
再生が中断されたコンテンツが格納されているメディアが、データの書き込みを許容しているメディアである場合に、前記生成手順で生成した中断情報をそのメディアに書き込む書込手順
を実行し、
前記制御手順においては、
前記検索手順で前記記憶装置から中断情報を検出できなかった場合において、再生が指示されたコンテンツが格納されているメディアに中断情報が書き込まれているときには、そのメディアから中断情報を読み出し、前記再生手段に対し、その読み出した中断情報に含まれる位置情報にて特定される中断位置から、コンテンツの再生を開始させる
ことを特徴とする付記１１記載の再生制御方法。
【０１５４】
（付記１３）
前記ビデオ装置が、
前記制御手順においては、
前記検索手順で前記記憶装置から中断情報を検出した場合に、中断位置からの再生を行うか否かを操作者に照会し、中断位置からの再生が操作者から指示されたときに、前記再生手段に対し、その検出された中断情報に含まれる位置情報にて特定される中断位置から、コンテンツの再生を開始させる
ことを特徴とする付記１１又は１２記載の再生制御方法。
【０１５５】
（付記１４）
前記ビデオ装置が、更に、
前記記録手順で前記記憶装置に中断情報を記録してから所定時間が経過すると、その中断情報を前記記憶装置から削除する削除手順
を実行する
ことを特徴とする付記１１、１２又は１３記載の再生制御方法。
【０１５６】
（付記１５）
前記ビデオ装置が、
前記記録手順で前記記憶装置に中断情報を記録すると、その中断情報の送信元に受領を通知する通知手順、及び、
前記送信手順で中断情報を他の再生装置に送信した後、他の再生装置から受領が通知されると、その受領を通知してきた他の再生装置に係る情報を操作者に提示する提示手順
を実行する
ことを特徴とする付記１１乃至１４の何れか１つに記載の再生制御方法。
【図面の簡単な説明】
【０１５７】
【図１】第１の実施形態の視聴システムの構成図
【図２】第１及び第２のビデオ装置の構成図
【図３】第１及び第２のビデオ装置のフラッシュメモリユニットに格納される制御ソフトウエアの構成図
【図４】中断情報登録処理の流れを示す図
【図５】中断情報共有サブルーチンの流れを示す図
【図６】受信処理の流れを示す図
【図７】再生開始制御処理の流れを示す図
【図８】他機中断情報使用サブルーチンの流れを示す図
【図９】第２の実施形態の中断情報登録処理の流れを示す図
【図１０】第２の実施形態の他機中断情報使用サブルーチンの流れを示す図
【符号の説明】
【０１５８】
１０、２０      ビデオ装置
１０ｈ、２０ｈ  マルチディスクドライブユニット
１０ｉ、２０ｉ  メモリーカードドライブユニット
１０ｊ、２０ｊ  ｉＶＤＲカセットドライブユニット
１０ｋ、２０ｋ  ＵＳＢインターフェースユニット
１０ｍ、２０ｍ  操作表示ユニット
１０ｎ、２０ｎ  通信ユニット
１０ｐ、２０ｐ  フラッシュメモリユニット
１０ｑ、２０ｑ  ＣＰＵ
１０ｒ、２０ｒ  メインメモリユニット
３１            制御ソフトウエア
３１ｄ          メディア内コンテンツ再生モジュール
３１ｅ          コンテンツ情報管理テーブル
３１ｆ          中断継続モジュール
４１            中断情報登録プログラム
５１            他機中断情報管理テーブル
５２            受信プログラム
５３            保存管理プログラム
５４            再生開始制御プログラム
６１            削除プログラム
【図１】
2009278180.tif 000003
【図２】
2009278180.tif 000004
【図３】
2009278180.tif 000005
【図４】
2009278180.tif 000006
【図５】
2009278180.tif 000007
【図６】
2009278180.tif 000008
【図７】
2009278180.tif 000009
【図８】
2009278180.tif 000010
【図９】
2009278180.tif 000011
【図１０】
2009278180.tif 000012